(57)【特許請求の範囲】
【請求項１】
壁面と、段板および蹴込板との間の入隅部のうち、前記段板の上面に沿って横巾木が配置されるとともに、前記蹴込板の前面に沿って縦巾木が配置される一方、前記横巾木および前記縦巾木の対応し合う端部が各巾木の長さ方向に対し斜めに切断されて、互いの切り口が接合するように留め接ぎされる階段用巾木の取付構造であって、
前記横巾木における壁面と接触する側の面を裏面として、その裏面側に、前記切り口において開放する横巾木側接続具取付溝が形成されるとともに、
前記縦巾木における壁面と接触する側の面を裏面として、その裏面側に、前記切り口において開放する縦巾木側接続具取付溝が形成され、
接続具の一側部が、前記横巾木側接続具取付溝に嵌合されて固定されるとともに、その接続具の他側部が、前記縦巾木側接続具取付溝に嵌合されて固定され、
前記接続具の両側端面に、前記横巾木および前記縦巾木の各接続具取付溝の側壁面に係合して、前記接続具の抜け止めを図るための抜け止め片が設けられることを特徴とする階段用巾木の取付構造。
【請求項２】
前記横巾木側接続具取付溝が、前記横巾木の長さ方向に沿って形成されるとともに、前記縦巾木側接続具取付溝が、前記縦巾木の長さ方向に沿って形成され、
前記接続具が、その一側部が他側部に対し直角に配置されるL字状に形成される請求項１に記載の階段用巾木の取付構造。
【請求項３】
前記接続具における壁面と接触する側の面を裏面、接触しない側の面を表面として、その表面側に座ぐり凹部が形成され、
前記接続具が、その座ぐり凹部の底部を貫通する固定手段によって壁面に固定される請求項１または２に記載の階段用巾木の取付構造。
【請求項４】
前記横巾木および前記縦巾木が壁面に貼着手段によって貼り付けられて固定されている請求項１〜３のいずれか１項に記載の階段用巾木の取付構造。
【請求項５】
前記横巾木における壁面と接触しない側の面を表面、前記段板と接触する側の面を下面として、その表面および下面間のコーナー部に、前記横巾木の長さ方向に連続する切欠段部が形成されるとともに、
前記縦巾木における壁面と接触しない側の面を表面、前記蹴込板と接触する側の面を後面として、その表面および後面間のコーナー部に、前記縦巾木の長さ方向に連続する切欠段部が形成された請求項１〜４のいずれか１項に記載の階段用巾木の取付構造。
【請求項６】
壁面に沿って段板および蹴込板が設けられる階段であって、
壁面と、前記段板および前記蹴込板との間の入隅部のうち、前記段板の上面に沿って横巾木が配置されるとともに、前記蹴込板の前面に沿って縦巾木が配置される一方、
前記横巾木および前記縦巾木の対応し合う端部が各巾木の長さ方向に対し斜めに切断されて、互いの切り口が接合するように留め接ぎされ、
前記横巾木における壁面と接触する側の面を裏面として、その裏面側に、前記切り口において開放する横巾木側接続具取付溝が形成されるとともに、
前記縦巾木における壁面と接触する側の面を裏面として、その裏面側に、前記切り口において開放する縦巾木側接続具取付溝が形成され、
接続具の一側部が、前記横巾木側接続具取付溝に嵌合されて固定されるとともに、その接続具の他側部が、前記縦巾木側接続具取付溝に嵌合されて固定され、
前記接続具の両側端面に、前記横巾木および前記縦巾木の各接続具取付溝の側壁面に係合して、前記接続具の抜け止めを図るための抜け止め片が設けられることを特徴とする階段。
【請求項７】
壁面と、段板および蹴込板との間の入隅部のうち、前記段板の上面に沿って横巾木が配置されるとともに、前記蹴込板の前面に沿って縦巾木が配置される一方、前記横巾木および前記縦巾木の対応し合う端部が各巾木の長さ方向に対し斜めに切断されて、互いの切り口が接合するように留め接ぎされる階段用巾木の取付方法であって、
前記横巾木として、壁面と接触する側の面である裏面側に、前記切り口において開放する横巾木側接続具取付溝が形成されたものを準備し、
前記縦巾木として、壁面と接触する側の面である裏面側に、前記切り口において開放す  る縦巾木側接続具取付溝が形成されたものを準備し、
前記横巾木および前記縦巾木のうち、いずれか一方の巾木の対応端部における接続具取付溝に、接続具の一側部を嵌合固定して、その接続具の他側部を前記一方の巾木の切り口から突出するように配置しておき、
その後、前記一方の巾木を、対応する入隅部において壁面に取り付けて、
次いで、他方の巾木の対応端部における接続具取付溝に、前記接続具の他側部を嵌合固定しつつ、その他方の巾木を、対応する入隅部において壁面に取り付けるものとし、
前記接続具の一側部および他側部を前記一方の巾木および前記他方の巾木の接続具取付溝に嵌合した際に、前記接続具の側壁面に設けられた抜け止め片を前記接続具取付溝の側壁面に係合することにより抜け止めを図るようにしたことを特徴とする階段用巾木の取付方法。
【請求項８】
前記一方の巾木が、前記他方の巾木の上側に配置される請求項７に記載の階段用巾木の取付方法。
【請求項９】
前記一方の巾木を壁面に取り付けた後、前記他方の巾木を壁面に取り付ける前に、
前記一方の巾木に固定された接続具の他側部を壁面に固定するようにした請求項７または８に記載の階段用巾木の取付方法。
【発明の詳細な説明】
【技術分野】
【０００１】
この発明は、一般家屋のひな壇階段等の屋内階段に適用される階段用巾木の取付構造およびその関連技術に関する。
【背景技術】
【０００２】
一般家屋の木質製屋内階段において、斜め方向に沿って等間隔おきに水平に配置される複数の段板と、段板の各間に配置される蹴込板とを備えるものがある。このような屋内階段のうち、ひな壇階段と称されるものは、段板や蹴込板の側端面が屋内壁面に直接接触させた状態に組み立てられている。従って、屋内壁面と、段板および蹴込板との間の入隅部には、治まりを良くするために巾木が取り付けられる。
【０００３】
この階段用の巾木は、段板の上面に沿って配置される横巾木と、段板先端面から蹴込板前面にかけて配置される縦巾木とを備えており、横巾木と縦巾木とが互い対応する端部同士が接合されるように取り付けられている。
【０００４】
例えば特許文献１に示す階段用巾木の取付構造は、横巾木および縦巾木の対応する端部をそれぞれ斜め４５°に切断（留め切り）して、互いの切り口を突き合わせて接合するようにした留め接ぎ（留め加工）によって、巾木間を接続している。
【先行技術文献】
【特許文献】
【０００５】
【特許文献１】特開２００４−７６４５９号
【発明の概要】
【発明が解決しようとする課題】
【０００６】
しかしながら、上記特許文献１に示す従来の階段用巾木の取付構造において、横巾木や縦巾木の切り口の加工精度が悪かったり、組付誤差等の影響によって、巾木、段板、蹴込板の取付精度が悪かったりすると、横巾木および縦巾木の接合部間に隙間が生じることがあり、美観が損なわれてしまうという課題があった。
【０００７】
この発明は、上記の課題に鑑みてなされたものであり、横巾木および縦巾木間に隙間が生じるのを有効に防止でき、良好な美観を得ることができる階段用巾木の取付構造およびその関連技術を提供することを目的とする。
【課題を解決するための手段】
【０００８】
上記課題を解決するため、本発明は、以下の手段を備えるものである。
【０００９】
［１］壁面と、段板および蹴込板との間の入隅部のうち、前記段板の上面に沿って横巾木が配置されるとともに、前記蹴込板の前面に沿って縦巾木が配置される一方、前記横巾木および前記縦巾木の対応し合う端部が各巾木の長さ方向に対し斜めに切断されて、互いの切り口が接合するように留め接ぎされる階段用巾木の取付構造であって、
前記横巾木における壁面と接触する側の面を裏面として、その裏面側に、前記切り口において開放する横巾木側接続具取付溝が形成されるとともに、
前記縦巾木における壁面と接触する側の面を裏面として、その裏面側に、前記切り口において開放する縦巾木側接続具取付溝が形成され、
接続具の一側部が、前記横巾木側接続具取付溝に嵌合されて固定されるとともに、その接続具の他側部が、前記縦巾木側接続具取付溝に嵌合されて固定されたことを特徴とする階段用巾木の取付構造。
【００１０】
［２］前記接続具の両側端面に、前記横巾木および前記縦巾木の各接続具取付溝の側壁面に係合して、前記接続具の抜け止めを図るための抜け止め片が設けられる前項１に記載の階段用巾木の取付構造。
【００１１】
［３］前記横巾木側接続具取付溝が、前記横巾木の長さ方向に沿って形成されるとともに、前記縦巾木側接続具取付溝が、前記縦巾木の長さ方向に沿って形成され、
前記接続具が、その一側部が他側部に対し直角に配置されるL字状に形成される前項１または２に記載の階段用巾木の取付構造。
【００１２】
［４］前記接続具における壁面と接触する側の面を裏面、接触しない側の面を表面として、その表面側に座ぐり凹部が形成され、
前記接続具が、その座ぐり凹部の底部を貫通する固定手段によって壁面に固定される前項１〜３のいずれか１項に記載の階段用巾木の取付構造。
【００１３】
［５］前記横巾木および前記縦巾木が壁面に貼着手段によって貼り付けられて固定されている前項１〜４のいずれか１項に記載の階段用巾木の取付構造。
【００１４】
［６］前記横巾木における壁面と接触しない側の面を表面、前記段板と接触する側の面を下面として、その表面および下面間のコーナー部に、前記横巾木の長さ方向に連続する切欠段部が形成されるとともに、
前記縦巾木における壁面と接触しない側の面を表面、前記蹴込板と接触する側の面を後面として、その表面および後面間のコーナー部に、前記縦巾木の長さ方向に連続する切欠段部が形成された前項１〜５のいずれか１項に記載の階段用巾木の取付構造。
【００１５】
［７］壁面に沿って段板および蹴込板が設けられる階段であって、
壁面と、前記段板および前記蹴込板との間の入隅部のうち、前記段板の上面に沿って横巾木が配置されるとともに、前記蹴込板の前面に沿って縦巾木が配置される一方、
前記横巾木および前記縦巾木の対応し合う端部が各巾木の長さ方向に対し斜めに切断されて、互いの切り口が接合するように留め接ぎされ、
前記横巾木における壁面と接触する側の面を裏面として、その裏面側に、前記切り口において開放する横巾木側接続具取付溝が形成されるとともに、
前記縦巾木における壁面と接触する側の面を裏面として、その裏面側に、前記切り口において開放する縦巾木側接続具取付溝が形成され、
接続具の一側部が、前記横巾木側接続具取付溝に嵌合されて固定されるとともに、その接続具の他側部が、前記縦巾木側接続具取付溝に嵌合されて固定されたことを特徴とする階段。
【００１６】
［８］壁面と、段板および蹴込板との間の入隅部のうち、前記段板の上面に沿って横巾木が配置されるとともに、前記蹴込板の前面に沿って縦巾木が配置される一方、前記横巾木および前記縦巾木の対応し合う端部が各巾木の長さ方向に対し斜めに切断されて、互いの切り口が接合するように留め接ぎされる階段用巾木の取付方法であって、
前記横巾木として、壁面と接触する側の面である裏面側に、前記切り口において開放する横巾木側接続具取付溝が形成されたものを準備し、
前記縦巾木として、壁面と接触する側の面である裏面側に、前記切り口において開放す  る縦巾木側接続具取付溝が形成されたものを準備し、
前記横巾木および前記縦巾木のうち、いずれか一方の巾木の対応端部における接続具取付溝に、接続具の一側部を嵌合固定して、その接続具の他側部を前記一方の巾木の切り口から突出するように配置しておき、
その後、前記一方の巾木を、対応する入隅部において壁面に取り付けて、
次いで、他方の巾木の対応端部における接続具取付溝に、前記接続具の他側部を嵌合固定しつつ、その他方の巾木を、対応する入隅部において壁面に取り付けるようにしたことを特徴とする階段用巾木の取付方法。
【００１７】
［９］前記一方の巾木が、前記他方の巾木の上側に配置される前項８に記載の階段用巾木の取付方法。
【００１８】
［１０］前記一方の巾木を壁面に取り付けた後、前記他方の巾木を壁面に取り付ける前に、
前記一方の巾木に固定された接続具の他側部を壁面に固定するようにした前項８または９に記載の階段用巾木の取付方法。
【発明の効果】
【００１９】
発明［１］の階段用巾木の取付構造によれば、横巾木および縦巾木の対応し合う端部同士が接続具を介して強固に接続できるため、巾木の各切り口の加工精度や、巾木、段板および蹴込板の取付精度が多少悪くなっても、接続し合う巾木の互いの切り口全域を隙間なく接合することができ、良好な美観を確実に得ることができる。
【００２０】
発明［２］の階段用巾木によれば、巾木に対し接続具を嵌め込むだけで簡単に固定することができる。
【００２１】
発明［３］の階段用巾木の取付構造によれば、上記の効果をより確実に得ることができる。
【００２２】
発明［４］の階段用巾木の取付構造によれば、ビスや釘等の固定手段によって、接続具を壁面に強固で安定した状態に固定することができる。
【００２３】
発明［５］の階段用巾木の取付構造によれば、接着剤や両面テープ等の貼着手段によって、横巾木および縦巾木を壁面に確実に固定することができる。
【００２４】
発明［６］の階段用巾木の取付構造によれば、横巾木および縦巾木の切欠段部によって、横巾木と段板との間に太い陰影線が表出されるとともに、縦巾木と蹴込板との間にも太い陰影線が表出され、見栄えが良くなり、美観をより一層向上させることができる。
【００２５】
発明［７］の階段によれば、上記と同様に、同様の作用効果を得ることができる。
【００２６】
発明［８］の階段用巾木の取付方法によれば、各巾木を入隅部に取り付ける前に、各巾木に予め接続具を取り付けておくものであるため、接続具の巾木への取付作業を容易に行うことができる。
【００２７】
発明［９］の階段用巾木の取付方法によれば、巾木を上側から順に下方に施工するものであるため、例えば横巾木を施工するに際して、その横巾木の後端部を、上側の縦巾木の下端部に接続する際に、横巾木が周辺の部位に干渉することがなく、横巾木を簡単かつスムーズに取り付けることができる。
【００２８】
発明［１０］の階段用巾木の取付方法によれば、接続具を壁面に強固で安定した状態に固定することができる。
【図面の簡単な説明】
【００２９】
【図１】図１はこの発明の実施形態である階段用巾木の取付構造が適用された階段を示す斜視図である。
【図２】図２は実施形態の階段において巾木の一部を取り外した状態で示す斜視図である。
【図３】図３は実施形態の階段を示す側面断面図である。
【図４】図４は実施形態の階段に適用された横巾木および縦巾木を接続した状態で裏面側から見た斜視図である。
【図５】図５は実施形態の階段に適用された横巾木および縦巾木を取り外した状態で裏面側から見た斜視図である。
【図６】図６は実施形態の階段に適用された接続具を示す図であって、同図（ａ）は表面図、同図（ｂ）は一側端面図、同図（ｃ）は他側端面図である。
【図７】図７は実施形態に階段における巾木接続部を示す断面図である。
【図８】図８は実施形態の階段における巾木接続部を分解して示す断面図である。
【発明を実施するための形態】
【００３０】
図１〜３はこの発明の実施形態である階段用巾木の取付構造が適用された階段を示す図である。
【００３１】
これらの図に示すように、本実施形態の階段は、室内の壁面（屋内壁面）１および支持部材１５間において、斜め方向に所定の間隔おきに水平に配置される複数の段板２と、段板２の各間において垂直に配置される複数の蹴込板３と、屋内壁面１と段板２および蹴込板３との間の入隅部に沿って設けられる巾木４，５とを基本的な構成要素として備え、後に詳述するように隣り合う巾木４，５の各間が接続具６によって接続されている。
【００３２】
なお、本明細書において、階段という場合、段板２および蹴込板３とに加えて、これらを支持する屋内平面１および支持部材１５や、に巾木４，５も含むものである。さらに階段本体と言う場合には、段板２と、蹴込板３とで構成される階段部分を示し、屋内壁面１および支持部材１５や、巾木４，５を含まないものである。
【００３３】
各蹴込板３は、その上側の段板２における先端（前端）位置から後方に間隔をおいて配置されて、各段板２の先端部によって段鼻２６が形成されている。
【００３４】
各段板２の一端側は、その端面が屋内壁面１に接合された状態で図示しない支持部材によって支持されるとともに、他端側は、その端面が露出された状態で支持部材１５に支持されている。
【００３５】
さらに各蹴込板３の一方側端面は、屋内壁面１に接合されるように配置されるとともに、他方側端面は、露出されるように配置される。
【００３６】
また各段板２および各蹴込板３の露出側端面（他方側端面）は、化粧板４０，５０によって被覆されている。
【００３７】
図示は省略するが、階段における屋内壁面１とは反対側の開放側端部（他方側端部）には通常、手摺が取り付けられる。
【００３８】
屋内壁面１と、段板２および蹴込板３との間の入隅部に沿って設けられる巾木は、横巾木４と、縦巾木５とを備えている。
【００３９】
横巾木４は、入隅部のうち、段板２の上面に沿って段板２の後端から段鼻２６の近傍にかけての横入隅部に配置されている。
【００４０】
縦巾木５は、入隅部のうち、蹴込板３の前面に沿って、段鼻２６の周辺から蹴込板３の下端にかけての縦入隅部に配置されている。
【００４１】
なお本実施形態において、横巾木４の幅サイズと、縦巾木５の幅サイズとは同じサイズに形成されている。
【００４２】
図４，５に示すように、横巾木４は、その前端および後端が、横巾木４の長さ方向に対し斜め４５°にそれぞれ留め切り（切断）されて、階段に組み付けた状態において、前端切り口４１が斜め下向きに配置されるとともに、後端切り口４２が斜め上向きに配置されている。
【００４３】
さらに横巾木４における屋内壁面１と接触する側の面を裏面、その反対側の面を表面として、裏面側における幅方向の中間部には、横巾木４の長さ方向に連続する横巾木側接続具取付溝４３が形成されている。この取付溝４３の前端は、前端切り口４１において前方に開放されるとともに、後端は、後端切り口４２において後方に開放されている。
【００４４】
また横巾木４における段板２との接触面と、表面との間のコーナー部には、横巾木４の長さ方向に連続する切欠段部４５（図７，８参照）が形成されている。なお、図７，８において、括弧抜きの符号と括弧付きの符号とが並記されている部分において、括弧抜きの符号は、横巾木４における接続具６との接続部周辺の断面図を示し、括弧付きの符号は、縦巾木５における接続具６との接続部周辺の断面図を示している。
【００４５】
縦巾木５は、その上端および下端が、縦巾木５の長さ方向に対し斜め４５°にそれぞれ留め切り（切断）されて、階段に組み付けた状態において、上端切り口４１が、斜め後方に向けて配置されるとともに、下端切り口５２が、斜め前方に向けて配置されている。
【００４６】
縦巾木５における屋内壁面１と接触する側の面を裏面、その反対側の面を表面として、裏面側における幅方向の中間部には、縦巾木５の長さ方向に連続する縦巾木側接続具取付溝５３が形成されている。この取付溝５３の上端は、上端切り口５１において上方に開放されるとともに、下端は、下端切り口５２において下方に開放されている。
【００４７】
縦巾木側接続具取付溝５３の溝幅は、上記横巾木側接続具取付溝４３の溝幅と同じ大きさ（長さ）に形成されている。
【００４８】
また縦巾木５における蹴込板３との接触面と、表面との間のコーナー部には、縦巾木５の長さ方向に連続する切欠段部５５（図７，８参照）が形成されている。
【００４９】
さらに縦巾木５の上部における段鼻２６に対応する部分には、段鼻２６を収納可能な段鼻収納用切欠凹部５６が形成されている。
【００５０】
ここで本実施形態の巾木４，５は、木質製であるが、合成樹脂等の他の材料によって構成しても良い。巾木４，５を合成樹脂で形成する場合には、切り口４１，４２，５１，５２は、必ずしも実際に切断した面で構成する必要はなく、型成形によって成形された成形面によって構成するようにしても良い。
【００５１】
また巾木４，５を階段に取り付けた状態において表出される面、つまり横巾木４の表面および上面や、縦巾木５の表面および前面には、化粧が施される。化粧方法としては、突板や樹脂シートを貼り付けたり、巾木４，５が無垢材の場合には、着色する等の方法が好適に用いられる。
【００５２】
言うまでもなく、巾木４，５を階段に取り付けた状態において表出されない面にも、化粧を施すようにしても良い。
【００５３】
また各巾木４，５の厚さは、接続具取付溝４３，５３が形成されない部分で、５ｍｍ〜１５ｍｍに設定するのが好ましい。すなわち、薄過ぎる場合には、割れたり、欠損したりするおそれがある。逆に厚過ぎる場合には、階段に取り付けた際に見栄えが悪くなってしまう。
【００５４】
さらに巾木４，５の幅は、見栄えを考慮すると、３０ｍｍ〜７０ｍｍに設定するのが良い。
【００５５】
また巾木４，５の長さは、直階段の場合には、２００ｍｍ〜３００ｍｍに設定されるのが通例である。さらに廻り階段の外廻りに取り付けられる横巾木４の長さは、９００ｍｍ〜１２００ｍｍに設定されるのが通例である。言うまでもなく、各巾木４，５の長さは、階段の段板２の幅（前後寸法）や、蹴込面の高さ（段板間の寸法）等に応じて適宜設定される。
【００５６】
また巾木４，５の接続具取付溝４３，５３の深さは、２ｍｍ〜５ｍｍに設定するのが良い。すなわち、この深さが深過ぎる場合には、割れてしまうおそれがある。逆に深さが浅過ぎる場合には、後述する接続具６を確実に収容できず、巾木４，５の施工が困難になるおそれがある。さらに接続具取付溝４３，５３の幅は、１０ｍｍ〜５０ｍｍに設定するのが良い。この幅が狭過ぎたり、太過ぎたりする場合には、接続具６を精度良く取り付けることが困難になるおそれがある。いずれにしても、接続具取付溝４３，５３の深さや幅は、接続具６の厚さや幅に応じて適宜設定するのが良い。
【００５７】
本実施形態においては、接合し合う横巾木４および縦巾木５間が、接続具６によって接続固定されている。
【００５８】
図４〜８に示すように、接続具６は、例えば硬質合成樹脂の一体成形品によって構成されている。なお接続具６は、後述するように屋内壁面１に沿って取り付けられるものであり、以下の説明においては、屋内壁面１に接触する側の面を裏面、その反対側の面を表面として説明する。
【００５９】
接続具６は、図６（ａ）に示すように表面側から見た状態で、Ｌ字型の形状を有しており、互いに直角に配置される２つの嵌合部６１，６１が設けられている。この接続具６における両嵌合部６１，６１は、仮想の直線Ａを対称軸とする線対称形状（反射対象形状）の関係にあり、実質的に同じ形状（構成）を有している。
【００６０】
本実施形態においては、２つの嵌合部６１，６１のうち、一方が一側部を構成し、他方が他側部を構成するものである。
【００６１】
接続具６の各嵌合部６１，６１の幅サイズは、横巾木４および縦巾木５の接続具取付溝４３，５３の溝幅とほぼ同じ大きさ（長さ）に形成されている。
【００６２】
接続具６の表面側には、各嵌合部６１，６１の両側縁部を除く領域が凹陥形成されて、座ぐり凹部６３が形成される。
【００６３】
さらに接続具６における各嵌合部６１，６１の両側端面には、突筋状の抜け止め片６４が形成されている。この抜け止め片６４は、両側端縁に沿って連続し、かつ並列配置に複数形成されている。
【００６４】
なお、本実施形態の接続具６は、合成樹脂製であるが、金属や木質材等の他の材料によって構成しても良い。
【００６５】
また接続具６の厚さは、座ぐり凹部６３が形成されない部分で、２ｍｍ〜５ｍｍに設定するのが好ましい。この厚さが薄過ぎる場合には、割れてしまうおそれがある。また厚過ぎる場合には、巾木４，５の接続具取付溝４３，５３の溝深さを深くする必要があり、巾木４，５が割れてしまうおそれがある。
【００６６】
接続具６の各嵌合部６１，６１の幅は、１５ｍｍ〜５０ｍｍに設定するのが良い。この幅が狭過ぎる場合には、横巾木４および縦巾木５間の固定を十分に行えない場合がある。逆に太過ぎる場合には、巾木４，５への取付作業等が困難になるおそれがある。
【００６７】
接続具６の各嵌合部６１，６１における外側の長さＢは、５０ｍｍ〜１００ｍｍに設定するのが良い。すなわち、この長さが短過ぎる場合には、横巾木４および縦巾木５間の固定を十分に行えない場合がある。逆に長過ぎる場合には、巾木４，５への嵌合作業等が困難になるおそれがある。
【００６８】
また接続具６の座ぐり凹部６３の深さは、１ｍｍ〜３ｍｍに設定するのが良い。この深さが浅過ぎる場合には、後述するようにこの座ぐり凹部６３にタッピングビス６５をねじ込んだ際に、ビス頭部が、接続具６の表面から飛び出してしまい、接続具６を巾木４，５に取り付けることができないおそれがある。逆に凹部６３が深過ぎる場合には、割れてしまうおそれがある。
【００６９】
言うまでもなく、本実施形態において、接続具６における上記の厚さ、幅、長さ、凹部深さ等は、用いられる巾木４，５のサイズに応じて適宜変更するのが良い。
【００７０】
本実施形態においては、巾木４，５を、接続具６を用いて、屋内壁面１と階段本体との間の入隅部に取り付ける場合、以下に示すように、巾木４，５を階段の上側から下側に向けて順次取り付けていくものである。
【００７１】
なお、以下の説明では、横巾木４および縦巾木５のうち、最上段の位置に最初に横巾木４を取り付ける場合を例に挙げて説明する。
【００７２】
まず横巾木４を、対応する入隅部において屋内壁面１に固定する前に予め、横巾木４に接続具６を固定しておく。
【００７３】
すなわち横巾木４の接続具取付溝４３における前端部に、接続具６の一方側の嵌合部６１を嵌め込んで固定して、他方側の嵌合部６１を横巾木４の前端切り口４１から下方に突出するように配置しておく。このとき、接続具６の表面側（座ぐり凹部６３が形成される側）を、横巾木４の裏面側における接続具取付溝４３の底面に押し当てるようにして配置する。
【００７４】
この状態においては、接続具６の裏面が、横巾木４の裏面に対し同一平面内もしくは、少し内側（表面側）に配置されている。
【００７５】
さらにこの状態では、接続具６の一方側の嵌合部６１における両側端面の抜け止め片６４が、横巾木４の接続具取付溝４３における両側壁内面に食い込むように係合し、これにより横巾木４に対し簡単に外れることなく所定の強さで固定されている。なお、必要であれば、接着剤や両面テープ等の貼着手段を用いて、接続具６を横巾木４に固定するようにしても良い。
【００７６】
ここで本実施形態においては、２つの部材を接続固定する際に、接着材、両面テープ、粘着剤等のように、接合面間に介在して接合するものを貼着手段と称している。
【００７７】
こうして前端に接続具６を固定した横巾木４を、必要に応じて接着剤や両面テープ等の貼着手段を用いて、屋内壁面１に取り付けて、横巾木４を最上段の段板２もしくは階上の床面と、屋内壁面１との間の横入隅部に沿って取り付ける。
【００７８】
この状態では、既述したように、接続具６の他方側の嵌合部６１が、横巾木４の前端切り口４１から下方に突出し、かつ屋内壁面１に沿って配置されている。
【００７９】
次に図７，８等に示すように、下方に突出した接続具６の嵌合部６１における座ぐり凹部６３の底壁に、タッピングビス６５等の固定手段を貫通させて屋内壁面１にねじ込む。これにより、接続具６を屋内壁面１に固定する。
【００８０】
ここで本実施形態においては、２つの部材を接続固定する際に、ねじ（ビス）、釘等ように、部材同士を機械的に接続するものを固定手段と称している。さらに上記貼着手段と固定手段とを含むものを固着手段と称している。
【００８１】
既述したように横巾木４を取り付けた後、その横巾木４の前端下方に縦巾木５を取り付けるが、その前に、縦巾木５に予め接続具６を固定しておく。
【００８２】
すなわち縦巾木５の接続具取付溝５３における下端部に、接続具６の一方側の嵌合部６１を嵌め込んで固定して、他方側の嵌合部６１を縦巾木５の下端切り口５２から前方に突出するように配置しておく。このとき、接続具６の表面側（座ぐり凹部６３が形成される側）を、縦巾木５の裏面側における接続具取付溝５３の底面に押し当てるようにして配置する。
【００８３】
この状態においては、上記と同様、接続具６の裏面が、縦巾木５の裏面に対し同一平面内もしくは、少し内側（表面側）に配置されている。
【００８４】
さらにこの状態では、上記と同様、接続具６の一方側の嵌合部６１における両側端面の抜け止め片６４が、縦巾木５の接続具取付溝５３における両側壁内面に係合することによって、縦巾木５に対し簡単に外れることなく所定の強さで固定されている。なお必要であれば、接着剤や両面テープ等の貼着手段を用いて、接続具６を縦巾木５に固定するようにしても良い。
【００８５】
こうして下端に接続具６を固定した縦巾木５を、既に施工された上記横巾木４の前端下方に取り付ける。このとき、縦巾木５の接続具取付溝５３内にその上端切り口５１から、上記横巾木４の前端において下方突出状に配置された接続具６の嵌合部６１を挿入して、その嵌合部６１を縦巾木側接続具取付溝５３の上端部に嵌合し、縦巾木５の上端切り口５１を横巾木４の前端切り口４１に隙間なく接触させる。さらに縦幅木５の段鼻収容用切欠凹部５６内に、対応する段板２の段鼻２６を収納配置する。これにより、縦巾木５を、対応する段板２の段鼻２６周辺からその下側の蹴込板３の下端にかけての縦入隅部に沿って取り付ける。
【００８６】
なおこの縦巾木５は、上記横巾木４と同様、必要に応じて接着剤や両面テープ等の貼着手段を用いて、屋内壁面１に固定するものである。
【００８７】
こうして縦巾木５を屋内壁面１に貼り付けた状態では、既述したように、接続具６の他方側の嵌合部６１が、縦巾木５の下端切り口５２から前方に突出し、かつ屋内壁面１に沿って配置されている。
【００８８】
次に図７，８に示すように、この前方に突出した嵌合部６１における座ぐり凹部６３の底壁に、タッピングビス６５を貫通させて屋内壁面１にねじ込む。これにより、接続具６を屋内壁面１に固定する。
【００８９】
その後、次に施工する予定の横巾木４の接続具取付溝４３における前端部に、上記と同様に予め、接続具６の一方側の嵌合部６１を嵌め込んで固定し、他方側の嵌合部６１を横巾木４の前端切り口４１から下方に突出するように配置しておく。
【００９０】
こうして前端に接続具６を固定した横巾木４を、上記施工済の縦巾木５の下端前方に取り付ける。このとき、横巾木４の接続具取付溝４３内に、その後端切り口４２から、上記縦幅木５の下端において前方突出状に配置された接続具６の嵌合部６１を挿入して、その嵌合部６１を横巾木側接続具取付溝４３の後端部に嵌合し、横巾木４の後端切り口４２を縦巾木５の下端切り口５２に隙間なく接触させる。これにより、横巾木４を、対応する段板２の上面に沿って、段板２および屋内壁面１間の横入隅部に沿って取り付ける。
【００９１】
なおこの横巾木４においても、上記と同様、必要に応じて接着剤や両面テープ等の貼着手段を用いて、屋内壁面１に固定するものである。
【００９２】
以下同様にして、横巾木４および縦巾木５を上から順に交互に取り付けていき、階段本体の表面と屋内壁面１との間の入隅部全域に巾木４，５を配置する。これにより巾木４，５の取付作業が完了する。
【００９３】
なお本発明において、巾木４，５の取付手順は、上記の手順に限られることなく、どのような手順で取り付けるようにしても良い。例えば下側から上方に向かって順次、巾木４，５を取り付けていくようにしても良いし、上下方向の中間位置から、上方または下方に向けて適宜、巾木４，５を取り付けるようにしても良い。
【００９４】
さらに上記実施形態においては、１番目に横巾木４を施工する場合を例に挙げて説明したが、言うまでもなく、施工現場の状況に応じて、１番目に縦巾木５を施工する場合もある。
【００９５】
また上記実施形態においては、巾木４，５を入隅部（屋内壁面１）に固定する前に、予め接続具６を取り付けるようにしているが、この接続具６の巾木４，５への取付作業は、階段施工現場で行っても良いし、現場搬入前に工場等で予め行っておいても良い。さらに接続具６が取り付けられていない巾木４，５を屋内壁面１に固定した後、その巾木４，５の切り口から接続具６の一方側嵌合部６１を挿入することにより、後付けで、接続具６を巾木４，５に対し取り付けるようにしても良い。
【００９６】
以上のように、本実施形態の階段によれば、横巾木４および縦巾木５の対応し合う端部、例えば横巾木４の前端部と、縦巾木５の上端部とが接続具６を介して強固に接続されるため、巾木４，５の各切り口４１，４２，５１，５２の加工精度や、巾木４，５、段板２、蹴込板３の取付精度が、許容範囲内で多少悪くなったとしても、横巾木４の切り口４１，４２の全域を、対応する縦巾木５の切り口５１，５２の全域に隙間なく接合（留め接ぎ）することができ、良好な美観を確実に得ることができる。
【００９７】
さらに本実施形態においては、接続具６の両嵌合部６１，６１における両側端面に抜け止め片６４を形成しているため、嵌合部６１，６１を巾木４，５の接続具取付溝４３，５３に嵌め込んだ際に、抜け止め片６４が、接続具取付溝４３，５３の側壁に係合することにより、接続具６の接続具取付溝４３，５３からの抜け止めが図られる。つまり接続具６を接続具取付溝４３，５３に嵌め込むだけで簡単に、接続具６を巾木４，５に対し固定することができる。このように接続具６の取付作業を簡単に行うことができ、ひいては巾木４，５の取付作業および階段施工作業を簡単に行うことができる。
【００９８】
また本実施形態においては、接続具６の他方側嵌合部６１にタッピングビス６５をねじ込んで壁面１に固定するものであるため、接続具６を安定状態で強固に固定することができる。
【００９９】
さらに本実施形態においては、接続具６の表面側に座ぐり凹部６３を形成し、その凹部６３にタッピングビス６５をねじ込むようにしているため、ビス６５の頭部が座ぐり凹部６３内に収容される。このため、接続具６のビス止め部に、巾木４，５の端部を嵌め込んだ際に、ビス頭部が巾木４，５に干渉する等の不具合を確実に防止することができる。
【０１００】
また本実施形態においては、横巾木４の表面側下端縁に、横巾木４の長さ方向に連続する切欠段部４５を形成するとともに、縦巾木５の表面側後端縁に、縦巾木５の長さ方向に連続する切欠段部５５を形成している。従ってこの切欠段部４５，５５によって、横巾木４と段板２との間に太い陰影線が表出されるとともに、縦巾木５と蹴込板３との間にも太い陰影線が表出され、見栄えが良くなり、美観をより一層向上させることができる。
【０１０１】
また本実施形態においては、各巾木４，５の一端部に予め接続具６を取り付けてから、各巾木４，５を屋内壁面１に貼り付けるようにしているため、壁面１に取り付けられていないフリーな状態の巾木４，５に対し、接続具６を取り付けることができる。このため、接続具６を巾木４，５にほぼ制約なく取り付けることができ、接続具６を簡単に取り付けることができる。
【０１０２】
さらに本実施形態においては、多数の巾木４，５を上から順に下方に施工するとともに、施工済の上側（一方の）巾木に嵌合された接続具６の他方側嵌合部６１を、下側（他方の）巾木の対応端部に差し込んで固定しつつ、その下側巾木を対応の入隅部において壁面１に取り付けるようにしているため、接続具６の他方側嵌合部を、下側巾木の対応端部に差し込む作業を容易に行うことができる。
【０１０３】
すなわち仮に巾木４，５を下から順に上方へ施工する場合、例えば下側の巾木を縦巾木５とし、上側の巾木を横巾木４としたとき、施工済の縦巾木５の上端部に固定した接続具６の他方側嵌合部６１は、後方に突出するように配置されており、その後方突出状の他方側嵌合部６１に、後方から横巾木４の前端部を嵌め込むことになる。その場合、横巾木４の後端部が、蹴込板３等と干渉することによって、横巾木４を、縦巾木５に固定された接続具６に嵌め込む作業が困難になるおそれがある。
【０１０４】
これに対し本実施形態においては、巾木４，５を上から順に施工するものであるため、例えば上側の縦巾木５の下端部に、横巾木４を取り付ける場合、上側の縦巾木５の下端部に固定した接続具６の他方側嵌合部６１は、前方に突出するように配置されており、その前方突出状の他方側嵌合部６１に、前方から横巾木４の後端部を嵌め込むことになる。この場合、横巾木４に対し干渉する部位が存在せず、横巾木４を、縦巾木５に固定された接続具６に嵌め込む作業を容易に行うことができる。
【０１０５】
なお上記実施形態においては、巾木４，５の両端における切り口４１，４２，５１，５２を、巾木４，５の長さ方向に対し４５°の傾斜角度に形成しているが、この切り口の傾斜角度は必ずしも４５°に設定する必要はない。例えば、横巾木４と縦巾木５との幅サイズが異なるような場合には、その幅サイズに合わせて、各切り口の傾斜角度を４５°以外に設定して、巾木４，５の対応し合う切り口のサイズが等しくなるように調整すれば良い。
【０１０６】
さらに上記実施形態においては、各巾木４，５に形成される接続具取付溝４３，５３を各巾木４，５の長さ方向全域にわたって形成するようにしているが、本発明においては、接続具取付溝を、少なくとも各巾木の端部のみに形成するようにすれば良い。
【０１０７】
また上記実施形態においては、巾木４，５を接着剤や両面テープ等の貼着手段によって壁面１に固定するようにしているが、それだけに限られず、本発明においては、巾木を、ビスや釘等の固定手段によって壁面１に固定するようにしても良い。
【０１０８】
さらに上記実施形態においては、接続具６を、タッピングビス６５によって屋内壁面に固定するようにしているが、それだけに限られず、本発明においては、ビス以外の固着手段によって、接続具を壁面に固定するようにしても良い。例えば釘、接着剤、両面テープ等の固着手段を用いて、固定するようにしても良い。
【０１０９】
また巾木４，５が壁面１に確実に固定される場合には、接続具６を必ずしも壁面１に固定する必要はない。逆に、接続具６が壁面１に確実に固定されている場合には、巾木４，５を必ずしも壁面１に固定する必要はない。
【０１１０】
また上記実施形態においては、接続具６の表面側における広範囲の領域に、座ぐり凹部６３を形成するようにしているが、それだけに限られず、接続具６の一部、つまりビス止め部だけに座ぐり凹部を形成するようにしても良い。
【０１１１】
また上記実施形態においては、接続具６を表面視Ｌ型に形成しているが、本発明において、接続具の形状は必ずしもＬ型に形成する必要なく、対応する巾木の端部間を跨がることができるような形状であれば、どのような形状のものを用いても良い。
【産業上の利用可能性】
【０１１２】
この発明の階段用巾木の取付構造は、屋内の木質製階段に適用可能である。
【符号の説明】
【０１１３】
１：屋内壁面（壁面）
２：段板
３：蹴込板
４：横巾木
４１：前端切り口
４２：後端切り口
４３：横巾木側接続具取付溝
４５：切欠段部
５：縦巾木
５１：上端切り口
５２：下端切り口
５３：縦巾木側接続具取付溝
５５：切欠段部
６：接続具
６１：嵌合部（一側部、他側部）
６３：座ぐり凹部
６４：抜け止め片
６５：タッピングビス（固定手段）
【図１】
0005964025.tif 000002
【図２】
0005964025.tif 000003
【図３】
0005964025.tif 000004
【図４】
0005964025.tif 000005
【図５】
0005964025.tif 000006
【図６】
0005964025.tif 000007
【図７】
0005964025.tif 000008
【図８】
0005964025.tif 000009